(57)【要約】【課題】  表示灯の視認性が改善された照明制御装置を提供する。【解決手段】  照明制御装置１は、ハウジング４と、ハウジング４に収納及び保持された表示灯１５１とを備える。ハウジング４は、表示灯１５１の光を通過させる窓部１５０を有する。窓部１５０は、透光性を有する材料で構成され、表示灯１５１の光を拡散させる。窓部１５０における拡散で、表示灯１５１の光を視認可能な立体角が広くなるから、窓部１５０が貫通穴とされる場合に比べて表示灯１５１の視認性が改善される。【選択図】図１
2013088668.tif 000002
【特許請求の範囲】
【請求項１】
ハウジングと、前記ハウジングに収納及び保持された表示灯とを備え、
前記ハウジングは、前記表示灯の光を通過させる窓部を有し、
前記窓部は、透光性を有する材料で構成され前記表示灯の光を拡散させることを特徴とする照明制御装置。
【請求項２】
前記窓部が凹凸を有することを特徴とする請求項１記載の照明制御装置。
【発明の詳細な説明】
【技術分野】
【０００１】
本発明は、照明制御装置に関するものである。
【背景技術】
【０００２】
従来から、照明器具を制御する照明制御装置が提供されている（例えば、特許文献１参照）。この種の照明制御装置として、図６に示すように、壁面等に固定されるハウジング４と、ハウジング４に収納されて何らかの表示に用いられる表示灯１５１とを備えるものがある。表示灯１５１によって表示される情報としては、例えば、電源のオンオフや、接続された照明器具の動作状態などがある。
【先行技術文献】
【特許文献】
【０００３】
【特許文献１】特許第２９９２３８３号公報
【発明の概要】
【発明が解決しようとする課題】
【０００４】
ハウジング４には、表示灯１５１の光を通すための貫通穴１５３が設けられる。しかしながら、上記の場合、表示灯１５１の光を視認可能な立体角が比較的に狭くなってしまう。さらに、例えば図６のように表示灯１５１の位置が貫通穴１５３の中心に対して下方にずれていた場合には、矢印Ａ２で示すように出射する表示灯１５１の光が、貫通穴１５３よりも下側に位置する人Ｍにとって視認しにくかった。
【０００５】
本発明は、上記事由に鑑みて為されたものであり、その目的は、表示灯の視認性が改善された照明制御装置を提供することにある。
【課題を解決するための手段】
【０００６】
本発明の照明制御装置は、ハウジングと、前記ハウジングに収納及び保持された表示灯とを備え、前記ハウジングは、前記表示灯の光を通過させる窓部を有し、前記窓部は、透光性を有する材料で構成され前記表示灯の光を拡散させることを特徴とする。
【０００７】
上記の照明制御装置において、前記窓部が凹凸を有していてもよい。
【発明の効果】
【０００８】
本発明によれば、窓部が貫通穴からなる場合のように表示灯の光が拡散されない場合に比べ、表示灯の光を視認可能な立体角が大きくなるから、表示灯の視認性が改善される。
【図面の簡単な説明】
【０００９】
【図１】本発明の実施形態の要部を示す断面図である。
【図２】同上の使用形態の一例を示す説明図である。
【図３】同上を示すブロック図である。
【図４】同上を示す分解斜視図である。
【図５】同上を示し、（ａ）は正面図、（ｂ）は平面図、（ｃ）は右側面図である。
【図６】従来例の要部を示す断面図である。
【発明を実施するための形態】
【００１０】
以下、本発明を実施するための最良の形態について、図面を参照しながら説明する。
【００１１】
図２に示すように、本実施形態の照明制御装置１は、複数個の照明器具２１に、それぞれ信号線２２を介して接続して用いられる。
【００１２】
各照明器具２１は、信号線２２を介して入力された制御信号に応じた光出力で電気的な光源（図示せず）を点灯させるものであり、接続された信号線２２毎に制御される。上記のような照明器具２１は周知技術で実現可能であるので、詳細な図示並びに説明は省略する。
【００１３】
また、照明制御装置１は、信号線２２を介してリレー２３に接続されることで、リレー２３を制御することも可能となっている。上記のリレー２３は、電源ＡＣから負荷Ｚ（例えば看板灯）への給電路に挿入され、信号線２２を介して入力された駆動信号に応じて負荷Ｚへの給電をオンオフする、いわゆる電磁リレーである。上記のようなリレー２３は周知技術で実現可能であるので、詳細な図示並びに説明は省略する。
【００１４】
照明制御装置１は、図３に示すように、信号線２２を介して各照明器具２１（図３では１個のみ図示）に接続される照明接続部１１と、信号線２２を介してリレー２３に接続されるリレー接続部１２と、照明接続部１１とリレー接続部１２とをそれぞれ制御する制御部１３とを備える。
【００１５】
照明接続部１１は、例えば制御部１３の制御に従って制御信号を生成する電子回路である。制御信号は例えば指示する光出力に応じたオンデューティの矩形波（いわゆるＰＷＭ信号）である。また、リレー接続部１２は、例えば制御部１３の制御に従って駆動信号を生成する電子回路である。上記のような照明接続部１１やリレー接続部１２は周知技術で実現可能であるので、詳細な図示並びに説明は省略する。また、制御部１３は例えばマイコンと適宜のメモリとで実現することができる。
【００１６】
さらに、照明制御装置１は、操作入力を受け付ける操作部１４と、各種の表示を行う表示部１５とを備える。操作部１４は例えば複数個の押釦スイッチを用いて実現することができる。また、表示部１５は、複数個の表示灯１５１（図１参照）と、液晶パネル１５２と、これらを制御部１３の制御に従って駆動する駆動回路とを有する。表示灯１５１としては例えば、レンズが一体化された、いわゆる砲弾型の発光ダイオードが用いられる。表示灯１５１によって表示される情報としては、例えば、電源のオンオフや、接続された照明器具２１の動作状態などがある。制御部１３は、操作部１４に受け付けられた操作入力や、予め記憶されたプログラムに応じて、照明制御部１１やリレー接続部１２や表示部１５を制御する。
【００１７】
次に、機械的な構造について説明する。照明制御装置１は、図４に示すように、壁面３１に設けられた埋込穴３０に、スイッチボックス３２を用いて埋込配設される。
【００１８】
照明制御装置１は、スイッチボックス３２内に挿入される直方体形状の本体部４１と、本体部４１においてスイッチボックス３２外に露出する面（以下、「前面」と呼ぶ。）に沿って本体部４１の全周に突出しスイッチボックス３２の前端にねじ止めされる鍔部４２とを有するハウジング４を備える。図３に示した各部はハウジング４の本体部４１に収納および保持される。照明制御装置１に接続された信号線２２等は、スイッチボックス３２の側面に設けられた引出穴３２０を通じて引き出され、壁面３１を構成する壁材と造営材（図示せず）との間に設けられた配線スペース内に引き回される。
【００１９】
また、ハウジング４には、図５に示すように前方から見て鍔部４２を覆って見栄えを改善するカバー５が被着される。カバー５をハウジング４に結合させる手段としては、嵌合や凹凸係合といった周知の手段を用いることができる。以下、上下左右は図５（ａ）を基準として説明する。すなわち、ハウジング４の前面の長手方向を左右方向と呼ぶ。
【００２０】
ハウジング４の本体部４１においてスイッチボックス３２の内面に向けられる面である後面の上端に設けられた平坦な部位には、それぞれ信号線２２が接続される２個の端子台６が固定されている。各端子台６にはそれぞれ複数個のねじ端子が設けられていて、一方（例えば左側）の端子台６には照明器具２１からの信号線２２が接続され、他方（例えば右側）の端子台６にはリレー２３からの信号線２２が接続される。また、ハウジング４の本体部４１の後面において、右端部には、例えば圧着端子からなり接地線（図示せず）が接続される接地端子４３が設けられている。
【００２１】
ここで、図１に示すように、ハウジング４において表示灯１５１の前側（図１での右側）には、表示灯１５１の光を通過させる窓部１５０が設けられている。本実施形態において、窓部１５０は、透光性を有する材料（例えばアクリル樹脂）で構成され、表示灯１５１の光を拡散させる。上記のような窓部１５０は、窓部１５０を乳白色の材料で構成することで実現してもよいし、透明な材料からなる窓部１５０の表面に微細な凹凸を設ける（つまり粗面化する）ことで実現してもよい。また、上記のような窓部１５０をハウジング４に設ける手段としては、ハウジング４に設けられた貫通穴１５３を閉塞する別部品として構成された窓部１５０を接着や嵌合といった適宜の方法で固定してもよいし、２色成型を用いてもよい。
【００２２】
上記構成によれば、図６の場合のように表示灯１５１の光が拡散されない場合に比べ、表示灯１５１の光を視認可能な立体角が大きくなるから、例えば図１のように表示灯１５１の位置が窓部１５０の中心よりも下側にずれているような場合であっても矢印Ａ１で示すように下方の人Ｍにも表示灯１５１の光が到達しうるといったように、表示灯１５１の視認性が改善される。
【００２３】
なお、図１の例では窓部１５０は両面凸レンズ形状となっているが、片面又は両面を平面又は凹面としてもよい。
【符号の説明】
【００２４】
１  照明制御装置
４  ハウジング
１５０  窓部
１５１  表示灯
【図１】
2013088668.tif 000003
【図２】
2013088668.tif 000004
【図３】
2013088668.tif 000005
【図４】
2013088668.tif 000006
【図５】
2013088668.tif 000007
【図６】
2013088668.tif 000008